(57)【要約】【課題】軽量化したショッピングカートに収納具を載置できるショッピングカート用台座及びこれを備えたショッピングカートを提供する。【解決手段】ショッピングカート１は、支柱４間にかごを載置するためのフレーム部１５を設けた。フレーム部１５は空間１４を挟んで、支柱４の上端部４ａに設けた後部フレーム１１と前部フレーム１２及び前部支持フレーム１３とを対向して配設した。空間１４に設置したバンド付き台座２は、略四角形板状でマイバッグを載置する台座１６と、その後部に設けた２本の後部バンド１８と前部に設けた２本の前部バンドとを有する。後部バンド１８は台座１６の孔部の軸部を巻回して裏面側から表面側に延ばして後部フレーム１１に連結して吊るす。前部バンドは台座１６の孔部の軸部を巻回して裏面側から前方に延ばして前部支持フレーム１３に連結した。【選択図】図１
2020164106.tif 000002
【特許請求の範囲】
【請求項１】
収納具を載置する台座と、
前記台座に連結されていてショッピングカートのフレーム部に接続される支持部と、を備え、
前記台座は前記支持部によって変位可能に支持されていることを特徴とするショッピングカート用台座。
【請求項２】
前記台座の前部には前記フレーム部に係止可能な係止部が設けられている請求項１に記載されたショッピングカート用台座。
【請求項３】
前記台座は前記支持部を連結する連結部を有しており、
前記連結部は前記台座の対向する位置にそれぞれ設けられている請求項１または２に記載されたショッピングカート用台座。
【請求項４】
前記台座に連結された前記支持部は前記台座の裏面側から表面側に延びて前記フレーム部に係止されている請求項１から３のいずれか１項に記載されたショッピングカート用台座。
【請求項５】
前記支持部は前記台座を吊り下げるバンドである請求項１から４のいずれか１項に記載されたショッピングカート用台座。
【請求項６】
第一収納具を載置するための第一フレーム及び第二フレームが空間を挟んで対向する位置に配設されたフレーム部と、
第二収納具を載置するための前記台座が前記空間に設置されていて前記フレーム部に前記支持部が接続された請求項１から５のいずれか１項に記載された前記ショッピングカート用台座と、
を備えたことを特徴とするショッピングカート。
【請求項７】
前記ショッピングカートを重ねて収納する場合に、前記台座は後続の台座及び/または前記フレーム部に押されて上方に退避可能とした請求項６に記載されたショッピングカート。
【発明の詳細な説明】
【技術分野】
【０００１】
本発明は、ショッピングカートに用いられる台座及びこの台座を備えたショッピングカートに関する。
【背景技術】
【０００２】
一般にスーパーマーケット等の店舗では、特許文献１に記載のように、店舗に備えたバスケットかごを載置可能なかご支持部を備えたショッピングカートが多数設置されている。顧客がバスケットかごを載置したショッピングカートを押しながら、購入する商品をバスケットかごに収納してレジカウンターに搬送している。レジカウンターではショッピングカートからバスケットかごを出して商品を精算した後、レジ袋に入れ替えている。ショッピングカートは一般に金属製であり、かご支持部も金属製の線材を格子状に編み上げた構成を有しているため、重量が大きく扱いにくかった。
【０００３】
このような不具合を改善するショッピングカートとして、例えば特許文献２に記載のものが提案されている。このショッピングカートは格子状のかご支持部を設けておらず、フレームの上部に大きな空間を挟んでその前後に前部フレームと後部フレームを配設して軽量化している。このショッピングカートは前部フレームと後部フレームをかご支持部としてバスケットかごの前部と後部を支持できる。
【０００４】
一方、近年では自然環境保護やプラスチック製廃棄物の削減等のため、合成樹脂製のレジ袋の使用量を削減することが要望されており、布製等のいわゆるマイバッグを顧客が持参することが推奨されている。しかも、顧客が購入した商品を精算後に店舗のバスケットかごからマイバッグに移し替えるのは煩雑であるため、一部ではショッピングカートのかご支持部に直接マイバッグを置いて買い物をし、そのまま精算してマイバッグを持ち帰ることが行われている。
また、レジ精算後の商品を収納したマイバッグやレジ袋をショッピングカートのかご支持部に載置して自家用車まで搬送する顧客も多かった。
【先行技術文献】
【特許文献】
【０００５】
【特許文献１】特開２０１０−７６５０７号公報
【特許文献２】特開２０１６−４１５４７号公報
【発明の概要】
【発明が解決しようとする課題】
【０００６】
しかしながら、特許文献２に記載された軽量化したショッピングカートは、かご支持部として空間を挟んだ前部フレームと後部フレームでかごを支持する構造を採用して軽量化したため、かご支持部に顧客が持参したマイバッグを設置できないという問題があった。また、精算した商品を詰めたマイバッグやレジ袋をショッピングカートに載せて自家用車等に搬送する場合でも、同様にかご支持部に設置できなかった。
【０００７】
本発明は、このような課題に鑑みてなされたものであり、軽量化したショッピングカートに収納具を載置できるショッピングカート用台座及びこれを備えたショッピングカートを提供することを目的とする。
【課題を解決するための手段】
【０００８】
本発明に係るショッピングカート用台座は、収納具を載置する台座と、台座に連結されていてショッピングカートのフレーム部に接続される支持部と、を備え、台座は支持部によって変位可能に支持されていることを特徴とする。
本発明によれば、台座に連結された支持部はショッピングカートのフレーム部に接続されて支持され、台座にかごやバッグ等の収納具を載置して搬送可能である。しかも、台座は支持部によって変位可能に支持されているため、ショッピングカートを重ねて保管する場合でも後側のショッピングカートの台座で前側のショッピングカートの台座を押し上げて上方に退避させて重ねることができて狭いスペースに収納できる。更に、このショッピングカート用台座は、ショッピング用カートと一体に金属製線材を格子状に編み込んだ従来のかご支持部と相違して軽量であり、容易に搬送できる。
【０００９】
また、台座の前部にはフレーム部に係止可能な係止部が設けられていることが好ましい。
ショッピングカート用台座が揺動したりした場合でも台座の前部に設けた係止部でフレーム部に係止できるため、台座がフレーム部から外れることを防止できる。
【００１０】
また、台座は支持部を連結する連結部を有しており、連結部は台座の対向する位置にそれぞれ設けられていることが好ましい。
支持部を台座の対向する位置に設けた連結部に支持することで、台座を変位可能に支持できる。
【００１１】
また、台座に連結された支持部は台座の裏面側から表面側に延びてフレーム部に係止されていることが好ましい。
台座の支持部は裏面側から表面側に延びてフレーム部に係止されているため、ショッピングカートを重ねて収納する場合、後続の台座は前側の台座の支持部にガイドされて下側に押し込まれるため前側の台座は押されて上方に退避することになり、小さいスペースに重ねて収納できる。
【００１２】
また、支持部は長さ調整可能なバンドであることが好ましい。
支持部を帯状のバンドで構成することで、フレーム部に容易に接続することができ、しかもその長さを調整できる。
【００１３】
本発明によるショッピングカートは、第一収納具を載置するための第一フレーム及び第二フレームが空間を挟んで対向する位置に配設されたフレーム部と、第二収納具を載置するための台座が空間に設置されていてフレーム部に支持部が接続された上述したいずれかのショッピングカート用台座と、を備えたことを特徴とする。
本発明によるショッピングカートは、例えば店舗に備え付けた剛性の高いかご等を含む第一収納具は空間を挟んで第一フレームと第二フレームで支持されて底部が台座に支持され、マイバッグやレジ袋等の各種のバッグ等を含む第二収納具は空間に設置された台座に支持される。
【００１４】
また、ショッピングカートを重ねて収納する場合に、台座は後続の台座及び/またはフレーム部に押されて上方に退避可能としてもよい。
ショッピングカートを重ねて収納する場合、支持部に支持された台座は後続の台座及び/またはフレーム部に押されることで支持部が変位することで上方に退避するため、小さいスペースでショッピングカートを重ねて収納できる。
【発明の効果】
【００１５】
本発明に係るショッピングカート用台座及びショッピングカートによれば、支持部をショッピングカートのフレーム部に接続することで台座をショッピングカートに設置でき、店舗備え付けのかご等や、マイバッグやレジ袋等の任意形状のバッグを台座で支持できて落下することを防止できる。
しかも、台座は支持部によって変位可能に支持されているため、ショッピングカートを重ねて保管する場合でも後側のショッピングカートの台座で前側のショッピングカートの台座を押すことで上方に退避させて重ねることができ、狭いスペースに収納できる。
【００１６】
また、本発明によるショッピングカートは、空間を挟んで配設した第一フレーム及び第二フレームで店舗備え付けのかご等を支持してその底部を台座で支えて軽量化できる上に、マイバッグ等の任意の形状のバッグを支持部で支持された台座で支えることができる。
【図面の簡単な説明】
【００１７】
【図１】本発明の実施形態によるバンド付き台座を備えたショッピングカートの斜視図である。
【図２】ショッピングカートを示すもので，（ａ）は側面図、（ｂ）は正面図である。
【図３】バンド付き台座を設置しないショッピングカートの斜視図である。
【図４】台座の斜視図である。
【図５】バンド付き台座を示すもので、（ａ）は平面図、（ｂ）は背面図、（ｃ）は裏面図、（ｄ）は正面図、（ｅ）は側面図である。
【図６】（ａ）はバンド付き台座の斜視図、（ｂ）は同図（ａ）における前部バンドと台座の連結部を示すＡ−Ａ線断面図、（ｃ）は同じく後部バンドと台座の連結部を示すＢ−Ｂ線断面図である。
【図７】（ａ）はバンド付き台座の側面図、（ｂ）は背面図である。
【図８】マイバッグを乗せたショッピングカートの斜視図である。
【図９】ショッピングカートを重ねた状態の側面図である。
【図１０】変形例によるバンド付き台座の要部斜視図である。
【発明を実施するための形態】
【００１８】
以下、添付図面を参照して、本発明の実施形態によるショッピングカートについて説明する。
本発明の実施形態によるバンド付き台座２を備えたショッピングカート１について図１乃至図９により説明する。図１及び図２に示す本実施形態によるショッピングカート１は、例えば略Ｖ字状に湾曲して形成された２本の支柱４と、支柱４の下部に連結されている下段のかご支持部５と上段のかご支持部６とを概略で備えている。２本の支柱４の下端部には一対の後輪７が連結され、下段のかご支持部５の前側には一対の前輪８が連結されている。
なお、本明細書において、ショッピングカート１に対して顧客が立って押す側を後方、後側といい、その反対側を前方、前側というものとする。
【００１９】
図１及び図２（ｂ）に示すように、下段のかご支持部５は後側から前側に向けて次第に幅が狭くなるように先細状に形成されている。下段のかご支持部５は、略日の字型の下部フレーム５ａと下部フレーム５ａの前端に連結された支持板部５ｂとを有している。下部フレーム５ａの角部は２本の支柱４にそれぞれ連結されている。支持板部５ｂには２本の前輪８が連結されている。
図３はバンド付き台座２を取り除いたショッピングカート１の骨組みを示している。ショッピングカート１は金属製のフレームで形成されている。一対の支柱４の上端部４ａは例えば前側から後側に向けて上方に傾斜して配設されて延びており、その後端部は棒状の鋼材からなるハンドル１０で連結されている。ハンドル１０の近傍には一対の支柱４に両端が連結された後部フレーム１１が配設されている。
【００２０】
支柱４の上端部４ａの前側には一対の支柱４に両端が連結される前部フレーム１２が配設され、その下方である一対の支柱４の湾曲部４ｂには前部支持フレーム１３の両端が連結されている。前部支持フレーム１３は平面視で略コの字型を形成するように後部側に突出して形成されている。しかも、一対の支柱４の上端部４ａの後部フレーム１１と前部フレーム１２及び前部支持フレーム１３との間には、ショッピングカート１の軽量化を図るための空間１４が形成され、格子状の金属製の編み込み部は設置されていない。
なお、後部フレーム１１、前部フレーム１２、前部支持フレーム１３は、店舗に備え付けの剛性の高いバスケットかごＢや、顧客が持参するマイバッグ、または店舗のレジ袋等を載置するためのフレーム部１５に含まれる。
【００２１】
上述したショッピングカート１の骨組み構成において、下段のかご支持部５にバスケットかごＢを載置可能である。
また、上段のかご支持部６において、例えば、後部フレーム１１と前部フレーム１２及び前部支持フレーム１３とによってバスケットかごＢを前傾姿勢と後傾姿勢とで選択的に載置可能である。即ち、図２（ａ）に示すように、前部支持フレーム１３にバスケットかごＢの前側底部を載置し、後部フレーム１１に後側側面を当接することによって前傾姿勢でバスケットかごＢを載置できる。また、前部フレーム１２にバスケットかごＢの前側底部を載置させ、後部フレーム１１に上部フランジまたは後側側面を係止させることによって、後傾姿勢でバスケットかごＢを載置できる。
【００２２】
次に後部フレーム１１と前部支持フレーム１３との間で空間１４に設置するバンド付き台座２について図４〜図７により説明する。バンド付き台座２は略四角形板状の台座１６と、その四つ角の近傍に連結された各２本の前部バンド１７及び後部バンド１８とを備えている。図４に示す台座１６は、軽量化のためには合成樹脂製であることが好ましいが、アルミ等の金属製であってもよい。また、台座１６は略四角形板状に限定されることなく、例えば台形、円形、楕円形、適宜の多角形等、任意の形状のものを採用できる。
台座１６は中央領域に軽量化のために貫通孔１６ａが複数、例えば所定間隔で５本配列されている。貫通孔１６ａは例えば直線状の貫通孔である。台座１６の四隅には例えば略長方形の孔部２０が連結部として設けられ、その中央には軸部２１が形成されている。孔部２０内において、軸部２１の両側にはバンド挿通用の隙間が形成されている。なお、軸部２１は台座１６の後述する起立部２２に略平行に配列されている。
なお、図５はバンド付き台座２の六面図であり、平面図、正面図、裏面図、背面図、そして右側面図を有している、左側面図は右側面図と対称に表れるため省略されている。
【００２３】
台座１６において、後部側の端部には上方に折れ曲がる起立部２２が形成され、前部側の端部には下方に湾曲する一対の係止部２３が互いに離間して形成されている。台座１６にバスケットかごＢやマイバッグＭ等が載置された場合、振動や衝撃等でバスケットかごＢやマイバッグＭが後方に相対移動して外れることを起立部２２で阻止できる。また、ショッピングカート１のフレーム部１５にバンド付き台座２が設置された状態で、係止部２３は前部支持フレーム１３に係止可能である。台座１６が後方にずれた場合にも係止部２３が前部支持フレーム１３に係止することで前部支持フレーム１３から離脱することを阻止できる。また、前部バンド１７によって台座１６が前部支持フレーム１３から離脱することを阻止できるようにしてもよい。
【００２４】
図６及び図７に示すバンド付き台座２において、台座１６の後側の２組の孔部２０に２本の後部バンド１８が裏面側からそれぞれ挿通されて軸部２１を巻回して裏面側に延びている。これらの後部バンド１８は上方に延びて後部フレーム１１を巻回して両端同士が面ファスナー２５ａ、２５ｂで互いに固着されている(図６（ａ）、（ｃ）参照)。
同様に、台座１６の前側の２組の孔部２０に２本の前部バンド１７が裏面側からそれぞれ挿通されて軸部２１を巻回して裏面側に延びている。これらの前部バンド１７は前部支持フレーム１３を巻回して両端同士が面ファスナー２５ａ、２５ｂで互いに固着されている(図６（ａ）、（ｂ）参照)。後部バンド１８と前部バンド１７はそれぞれ帯状であり、リング状に形成した。
【００２５】
そのため、台座１６は一対の後部バンド１８によって後部フレーム１１から垂下され、一対の前部バンド１７によって前方の前部支持フレーム１３に引っ張られている。そのため、台座１６は前後方向に僅かに揺動可能である。しかも、前部バンド１７は台座１６の後方への移動を規制している。また、前部バンド１７で前部支持フレーム１３と台座１６を接続しているため、後述するようにショッピングカート１を重ねて収納した際に、台座１６が後続の台座１６や前部バンド１２に押されて上方に退避する動きを前部バンド１７がほう助することができる。
しかも、後部バンド１８は台座１６の裏面側を通って表側の後部フレーム１１に延びており、前部バンド１７も台座１６の裏面側に位置している。そのため、前部バンド１７と後部バンド１８は台座１６の裏面に隠れる部分が多くて目立たない上に、台座１６の上に載置されるバスケットかごＢやマイバッグＭ等の底部がひっかかることもない。
【００２６】
なお、図６（ａ）及び図７（ａ）に示す例では、前部支持フレーム１３に巻回される前部バンド１７の上に係止部２３が重なって設置されているが、前部バンド１７と係止部２３は横方向にずれた位置で前部支持フレーム１３に巻回され、或いは係止されていてもよい。
また、ショッピングカート１において、下段のかご支持部５が先細状に形成され、一対の支柱４も先細状に形成され、支柱４の上端部４ａとフレーム部１５は後部から前部に向けて下方に傾斜して形成されている。そのため、図９に示すように、前側のショッピングカート１に対して後続のショッピングカート１を順次重ねて収納することができる。
【００２７】
本実施形態によるショッピングカート１及びバンド付き台座２は上述した構成を有しており、次にその使用方法を説明する。
図１に示すように、本実施形態によるショッピングカート１はフレーム部１５にバンド付き台座２が備え付けられている。台座１６は後部バンド１８によって後部フレーム１１に吊り下げられ、前部バンド１７によって前部支持フレーム１３に接続されている。後部バンド１８と前部バンド１７は面ファスナー２５ａ、２５ｂによってそれぞれ互いに接続されているため、長さ調整することが可能である。また、バスケットかごＢやマイバッグＭを台座１６に載置させた状態で、前後に揺動可能である。
【００２８】
そして、スーパーマーケット等で顧客が店舗の備え付けのバスケットかごＢを上段のかご支持部６に載置してフレーム部１５で支持して店舗内を回って商品を購入する場合、図２（ａ）に示すように、バスケットかごＢは後部フレーム１１と前部フレーム１２及び前部支持フレーム１３によって前傾姿勢か後傾姿勢に載置されて保持される。しかも、バスケットかごＢの底部は台座１６に着座して支持される。
【００２９】
また、本実施形態によるショッピングカート１に、バスケットかごＢに代えて顧客が持参したマイバッグＭを上段のかご支持部６上に載置して店舗内を回って商品を購入することができる。この場合、図８に示すように、前部バンド１７及び後部バンド１８によって前部支持フレーム１３及び後部フレーム１１で支持された台座１６上にマイバッグＭを載置する。マイバッグＭの前側側部には前部フレーム１２が位置するため、誤って落下することはない。
或いは、ショッピングカート１に載置したバスケットかごＢで商品を購入して、レジ精算後にマイバッグＭまたはレジ袋に商品を移し替えてショッピングカート１の台座１６に載置させて自家用車まで搬送することができる。
【００３０】
ショッピングカート１の台座１６にバスケットかごＢまたはマイバッグＭを載置して搬送する際、バスケットかごＢまたはマイバッグＭが台座１６上を滑っても台座１６の後方には起立部２２が設けられているため、バスケットかごＢまたはマイバッグＭが台座１６を外れることを阻止できる。また、バスケットかごＢまたはマイバッグＭの重量が大きく、台座１６がバスケットかごＢまたはマイバッグＭと一体に後方に移動しようとしても一対の係止部２３が前部支持フレーム１３に係止するため、それ以上、後方へ移動することを阻止できる。
また、バスケットかごＢまたはマイバッグＭが前方に移動した場合には、前部フレーム１２に当接してそれ以上の移動を阻止される。
【００３１】
また、空のショッピングカート１を収納スペースに重ねて収納する場合、図９に示すように、２台目のショッピングカート１の前部フレーム１２が最初に１台目のショッピングカート１のバンド付き台座２の後部を前方に押す。更に、２台目の前部支持フレーム１３及び台座１６が１台目のショッピングカート１のバンド付き台座２の後部を押す。このとき、前側のバンド付き台座２における後部バンド１８が垂下して台座１６の裏面側から軸部２１に巻回されているため、この後部バンド１８にガイドされて２台目の台座１６は前側の台座１６の下側に潜り混む。そして、2台目の前部支持フレーム１３及び台座１６に押された1台目の台座１６が上方に傾斜させられて退避し、この台座１６を吊り下げる後部バンド１８を撓ませる。
【００３２】
このように、バンド付き台座２は後部バンド１８が孔部２０の軸部２１に台座１６の裏面側から延びているため、２台目の前部支持フレーム１３及び台座１６は１台目の後部バンド１８にガイドされて引っかかることなく前進してスムーズに重ねることができる。
こうして、ショッピングカート１を順次重ねて収納することができる。しかも、上述した先行技術では、ショッピングカートを重ねるとカゴ支持部同士が重なってしまい、1台目のカゴ支持部にものが残って搭載されていた場合にはカートがぶつかってしまい重ねることができない。しかし、本実施形態では、台座１６が後部バンド１８及び前部バンド１７に接続されていて上方に退避可能であるため、台座１６にものが残って載置されていたとしても容易に台座１６を重ねることができる。
【００３３】
上述したように本実施形態によるショッピングカート１及びバンド付き台座２によれば、フレーム部１５の後部フレーム１１と前部フレーム１２及び前部支持フレーム１３との間の空間１４にバンド付き台座２を設置した。そのため、ショッピングカート１の軽量化を損なうことなく、バスケットかごＢだけでなく、マイバッグＭやレジ袋等も台座１６に載置可能である。しかも、バンド付き台座２は着脱可能である。
また、台座１６の前端部には前部支持フレーム１３に係止可能な係止部２３が設けられているため、台座１６が揺動した場合でも後方に移動して前部支持フレーム１３から係止部２３が外れることを阻止できる。更に、台座１６の後端部に起立部２２を設けたため、台座１６に載置したマイバッグＭやバスケットかごＢやレジ袋等が後方に滑ったとしても台座１６から後方に外れることを阻止できる。
【００３４】
また、空のショッピングカート１を重ねて収納する場合、前部バンド１７及び後部バンド１８で支持された台座１６の後部が、後続のショッピングカート１の前部支持フレーム１３及び台座１６で押されて上方に傾斜して退避するため邪魔にならないで重ねることができる。
しかも、台座１６を支持する前部バンド１７及び後部バンド１８はリング状に巻回して両端部を面ファスナー２５ａ、２５ｂで接着しているため、台座１６の設置高さや、後部フレーム１１及び前部支持フレーム１３との距離等に応じて長さ調整可能である。
【００３５】
また、中間に空間１４を有するフレーム部１５を備えたショッピングカート１では、バンド付き台座２を取り付けるだけで容易にマイバックMに対応することができる。なぜなら、近年では、携帯端末で顧客自身がバーコートを読み取って買い物するシステムが提案されている。この場合、顧客自身がバーコードを読取って商品登録を行い、マイバックMに登録した商品を入れる。最後に、マイバックMに入った商品を取り出すことなく会計を行なうシステムが提案されているので、本実施形態によるバンド付き台座２はこの点でも非常に有効である。
【００３６】
以上、本発明の実施形態によるショッピングカート１及びバンド付き台座２について詳細に説明したが、本発明は上述の実施形態に限定されることはなく、本発明の要旨を逸脱しない範囲で適宜の変更や置換等が可能であり、これらはいずれも本発明に含まれる。以下に、本発明の変形例について説明するが、上述した実施形態と同一または同様な部分、部材には同一の符号を用いて説明を省略する。
【００３７】
図１０は実施形態の変形例によるバンド付き台座２Ａを示す要部斜視図である。
本変形例によれば、台座１６の両側辺部の近傍に各２つの孔部２０と各孔部２０内に設けた軸部２１とを有している。この場合、軸部２１は側辺部に沿って配設されている。そして、両側の孔部２０に台座１６の裏面側から側部バンド２７をそれぞれ通して軸部２１に巻回させて裏面側に戻して延ばしている。各側部バンド２７の他方の端部は支柱４の上端部４ａに巻回させて面ファスナー２５ａ、２５ｂで端部同士を固着することができる。本変形例では、側部バンド２７を台座１６の左右の側辺部に２本ずつ配設して両側の支柱４の上端部４ａにそれぞれ巻回させて両端部を面ファスナー２５ａ、２５ｂで互いに連結している。
或いは、側部バンド２７は直接支柱４の上端部４ａに連結することなく、両側の支柱４の上端部４ａの内側に側部フレームを設置して、この側部フレームに各側部バンド２７を連結してもよい。
【００３８】
本変形例によるバンド付き台座２Aを備えたショッピングカート１を用いて、空のショッピングカート１を重ねて収納する場合について説明する。この場合、台座１６が水平に設置されていてもその後部に起立部２２が形成され、前部には略円弧状に湾曲する一対の係止部２３が設けられている。しかも、起立部２２の高さは任意に設定できる。そのため、１台目のショッピングカート１の後部に２台目のショッピングカート１を押し込む際、２台目の前部支持フレーム１３または台座１６の湾曲した係止部２３で１台目の台座１６の起立部２２を押すため、１台目の台座１６の起立部２２は２台目の台座１６の係止部２３に押されて上方に退避して重ねられる。そのため、複数のショッピングカート１を順次重ねて収納することができる。
【００３９】
なお、バンド付き台座２において、台座１６を後部から前部に向けて下向きに傾斜して配設してもよい。この場合には、後側の台座１６が前側の台座１６の裏面に進入して押すことで、一層容易に前側の台座１６を持ち上げることができる。台座１６の傾斜姿勢は前後に配設された側部バンド２７の長さを調整することで容易に行える。
また、側部バンド２７は台座１６の四隅の角部に形成した孔部２０に挿通して軸部２１を巻回させてもよい。この場合、側部バンド２７の他端側は後部フレーム１１及び前部支持フレーム１３、または側部フレームや新たに設置した他のフレームに連結することができる。
台座１６に設けた各バンドを挿通させる孔部２０（連結部）は必ずしも４個設ける必要はなく、少なくとも係止部２３に対向する位置に１個、または台座１６の対向する位置に２個またはそれ以上設ければよい。
また、台座１６に載置するバスケットかごＢやマイバッグＭ等は収納具に含まれる。収納具として、上記以外に段ボール箱や発泡スチロール等の各種の容器を含むものとする。また、フレーム部１５に載置されるバスケットかごＢや容器等は第一収納具であり、台座１６に載置されるマイバッグＭ等は第二収納具である。
【００４０】
なお、バンド付き台座２において、後部フレーム１１と前部支持フレーム１３等に後部バンド１８と前部バンド１７を巻回させて支持したが、後部バンド１８及び前部バンド１７に代えてチェーンや綱、金属ワイヤ等を用いてもよい。この場合、チェーンや綱、金属ワイヤ等は変位可能に形成することが好ましい。なお、後部バンド１８及び前部バンド１７、チェーンや綱、紐、金属ワイヤ等は支持部に含まれる。
また、上述した実施形態によるショッピングカート１において、前部フレーム１２及び前部支持フレーム１３は第一フレームに、後部フレーム１１は第二フレームに含まれる。これら第一フレーム及び第二フレームはフレーム部１５に含まれる。また、バンド付き台座２はショッピングカート用台座に含まれる。
【符号の説明】
【００４１】
１  ショッピングカート
２、２Ａ  バンド付き台座
４  支柱
５  下段のかご支持部
６  上段のかご支持部
１１  後部フレーム
１２  前部フレーム
１３  前部支持フレーム
１４  空間
１５  フレーム部
１６  台座
１７  前部バンド
１８  後部バンド
２０  孔部
２１  軸部
２２  起立部
２３  係止部
２５ａ、２５ｂ  面ファスナー
２７  側部バンド
【図１】
2020164106.tif 000003
【図２】
2020164106.tif 000004
【図３】
2020164106.tif 000005
【図４】
2020164106.tif 000006
【図５】
2020164106.tif 000007
【図６】
2020164106.tif 000008
【図７】
2020164106.tif 000009
【図８】
2020164106.tif 000010
【図９】
2020164106.tif 000011
【図１０】
2020164106.tif 000012